(57)【要約】【課題】一般住宅やマンションでの利用においても美観を損なうことなく意匠的に優れた引戸を提供すること。【解決手段】出入り口に配置される引戸２と、引戸２上部に取り付けられる戸車５を載置し、引戸２を吊り下げる走行用レール３と、該走行用レール３を配設する引戸枠部材４とからなる引戸装置１において、引戸枠部材４の上枠４１は、下側が開放された断面略コ字状の部材とし、引戸枠部材４の戸尻側部には、走行用レール３を係止する係止部材８を配設し、引戸枠部材４の戸先側には、走行用レール３の戸先を、前記上枠４１の内外に向けて上下動させる、昇降部材７を配設する。【選択図】図１
2006283334.tif 000002
【特許請求の範囲】
【請求項１】
出入り口に配置される引戸と、引戸上部に取り付けられる戸車を載置し、引戸を吊り下げる走行用レールと、該走行用レールを配設する引戸枠部材とからなる引戸装置において、引戸枠部材の上枠は、下側が開放された断面略コ字状の部材とし、引戸枠部材の戸尻側部には、走行用レールを係止する係止部材を配設し、引戸枠部材の戸先側には、走行用レールの戸先側を、前記上枠の内外に向けて上下動させる、昇降部材を配設したことを特徴とする引戸装置。
【請求項２】
引戸枠部材と走行用レールの適所には、走行用レールを引戸枠部材に固定する固定部材を配設したことを特徴とする請求項１記載の引戸装置。
【請求項３】
昇降部材を、ボルトとナットとしたことを特徴とする請求項１又は２記載の引戸装置。
【発明の詳細な説明】
【技術分野】
【０００１】
本発明は、引戸装置に関し、特に意匠面に優れた吊り戸式引戸に関するものである。
【背景技術】
【０００２】
従来、吊り戸式引戸装置では、老健施設や病院に多く採用されており、意匠面よりも機能面が重視され、一般に引戸上部にはレールと該レール上を走行する吊車を配置しており、これらをメンテナンスするため点検カバーが配設されている。
【０００３】
また、点検カバーを設けることなく、レール内部に吊車を複数列配置して、簡単に引戸を設置することのできる引戸装置も提案されている。
【０００４】
ところで、この引戸装置は、図５に示すように、引戸枠部材４の上枠４１内部に、走行用レール３をネジ等の固着部材で固着し、引戸２の上部に装着した吊車５ａを前記走行レール３に載置したものである（例えば、特許文献１及び２参照）。
【０００５】
しかし、点検カバーの存在によって、美観が損なわれている。また、点検カバーを排除した、これら従来の吊り戸式引戸の場合には、引戸上面と、レール下面との間に、明かり漏れの隙間Ｗ（図５参照）が生じるので、図５（ｂ）に示す覆い片Ｃを用いて当該隙間をなくす必要があるといった問題が生じる。
【特許文献１】実用新案登録２５１９０５３号公報
【特許文献２】特開平０９−１６５９６６号公報
【発明の開示】
【発明が解決しようとする課題】
【０００６】
本発明は、上記従来の引戸装置の有する問題点に鑑み、一般住宅やマンションでの利用においても、美観を損なうことなく意匠的に優れた引戸を提供することを目的とする。
【課題を解決するための手段】
【０００７】
上記目的を達成するため、本発明の引戸装置は、出入口に配置される引戸と、引戸上部に取り付けられる戸車を載置し、引戸を吊り下げる走行用レールと、該走行用レールを配設する引戸枠部材とからなる引戸装置において、引戸枠部材の上枠は、下側が開放された断面略コ字状の部材とし、引戸枠部材の戸尻側部には、走行用レールを係止する係止部材を配設し、引戸枠部材の戸先側には、走行用レールの戸先側を、前記上枠の内外に向けて上下動させる、昇降部材を配設したことを特徴とする。
【０００８】
この場合において、引戸枠部材と走行用レールの適所には、走行用レールを引戸枠部材に固定する固定機構を配設することができる。
【０００９】
この場合において、昇降部材をボルトとナットとすることができる。
【発明の効果】
【００１０】
本発明の引戸装置によれば、引戸枠部材の戸先側上部に配設した昇降部材で、引戸を載置した走行用レールの戸先側を、上げ下げすることができるから、点検カバーを必要としない、美観の優れた引戸装置を提供することができる。
【００１１】
また、引戸枠部材と走行用レールの適所に、走行用レールを引戸枠部材に固定する固定機構を配設するときは、昇降部材のみで、戸先側を上方に持ち上げ、走行用レールを保持する場合に比べて、走行用レールを、引戸枠部材に強固に固定することができる。
【００１２】
また、昇降部材を、ボルトとナットで構成するときは、簡単な構成で走行用レールの戸先側を上方に持ち上げることができる。
【発明を実施するための最良の形態】
【００１３】
以下、本発明の引戸装置の実施の形態を、図面に基づいて説明する。
【実施例１】
【００１４】
図１〜図３に、本発明の引戸装置の一実施例を示す。
この引戸装置１は、居室の出入口に配置される引戸２と、引戸２上部と連結される戸車５を載置し、引戸２を吊り下げる走行用レール３と、該走行用レール３を配設する引戸枠部材４と、該引戸枠部材４の一側に形成され、引戸を収納する戸袋６からなり、戸袋６の奥部の引戸枠部材４には、走行用レール３を、揺動可能に取り付ける係止部材８を配設し、引戸枠部材４の戸先側上部には、走行用レール３の戸先側端を上下動させる昇降部材７を配設するようにしている。引戸枠部材４の上枠４１は、下側が開放された断面略コ字状とされており、この上枠４１内に、走行用レール３が配置されている。
【００１５】
この引戸装置１では、両端を開放し、下方に戸車５の走行車輪５ａ、５ａの走行を許容する載置部分３ｂ、３ｂを形成し、該載置部分３ｂ、３ｂの間に、開口部３ａを設けた断面略コ字状の引き抜き材（押出し材、曲げ材で構成してもよい。）を使った走行用レール３を使用する。この走行用レール３には、走行車輪５ａ、５ａと、引戸２とを連結するための、連結部材５１を配設した戸車５を嵌め込み、連結部材５１と、引戸２の上部に配設した断面Ｌ字状の連結部材２１とを、ボルト等の固着手段で固着するものである。
【００１６】
走行用レール３の戸先側端を上下動させる昇降部材７は、引戸枠部材４に固定したナット７１と、走行用レール３の戸先側端に開口した長孔３ｃを通過するボルト７２からなり、引戸枠部材４の戸先側上面に穿孔した孔４ａ下に、ナット７１を溶接等の固着手段によって固着し、該ナット７１にボルト７２を螺合して、走行用レール３の戸先側端を図１（ａ）の位置から、図１（ｂ）の高さまで引戸２ごと持ち上げる。
走行用レール３を、引戸枠部材４に固定する固定機構３０は、図１に示すように、走行用レール３の両側面から突設させた固定部材３ｄ、３ｄと、引戸枠部材４の上枠４１の内側から突設した受部材４ｂ、４ｂとからなり、前記固定部材３ｄ、３ｄと、前記受部材４ｂ、４ｂとを、ビス等の連結手段で固定するものである。固定機構３０の配設箇所は、特に限定するものではないが、戸袋６を有する引戸装置の場合、戸袋６以外の作業者が、下方から作業のできる箇所に配設すればよく、図３に示すように、走行用レール３の戸先側に、数箇所(図例では２箇所）配設することが好ましい。
【００１７】
係止部材８は、特にその形状が限定されるものではないが、図２に示すように、走行用レール３の戸尻側開口部分を進入させ、走行用レール３の上部下面を載置する載置部８ａを構成し、ボルト等の固着手段（図示省略）によって引戸枠部材４の戸尻側奥上面に配設する。
【００１８】
次に、上記引戸装置１の施工方法を説明する。
まず、戸尻側戸車５及び戸先側戸車５が、嵌装された走行用レール３の戸尻側端部を、引戸枠部材４の戸袋６内に配設した係止部材８に係止する。ついで、走行用レール３の戸先側端部に穿孔した長孔３ｃにボルト７２を通し、引戸枠部材４に配設したナット７１に螺合する。
【００１９】
この際、ボルト７２の螺合の程度は、図１（ａ）及び図２（ａ）に示すように壁面Ｔの下面と引戸２の上面間に隙間Ｗ（連結部材５１と連結部材２１をボルト等で連結することのできるスペース）を確保できる程度に行う。そして、隙間Ｗにおいて、引戸２側の連結部材２１と、戸車５とを連結する。
【００２０】
その後、引戸２を全開にし、かつ、全開ストッパ（図示せず）で全開状態に保持させておき、次に、昇降部材７のボルト７２を、ボックススパナＢＳを用いてねじ込んでいき、図１（ｂ）及び図２（ｂ）に示す位置まで、つまり、引戸枠部材４の上枠４１に配設した受部材４ｂ、４ｂに、走行用レール３に配設した固定部材３ｄ、３ｄが当接するところまで走行用レール３を持ち上げる。
この際、引戸２を全開にして作業することにより、引戸２の自重の大部分が、走行用レール３を載置する、戸尻側端の係止部材８で支持されることになり、軽い力で昇降部材７をねじまわし操作することができる。
そして、固定部材３ｄ、３ｄと、受部材４ｂ、４ｂとを、ビス、ネジ等の連結手段で連結する。走行用レール３や、戸車５を点検する場合には、上記操作手順と逆の手順によって、上枠４１内から走行用レール３を引戸２ごと下げ出すことによって行う。
固定部材３ｄ、３ｄと、受部材４ｂ、４ｂからなる固定機構３０は、必ずしも必要ではないが、これによって引戸２と、走行用レール３とは、昇降部材７だけで固定される場合に比べて強固に固定され、引戸装置１全体が安定する。
【００２１】
固定部材３ｄ、３ｄと、受部材４ｂ、４ｂとが連結された状態では、図１（ｂ）に示すように、走行用レール３及び引戸２が、上枠４１内に引き上げられた状態になり、隙間Ｗはなくなるので、明かり漏れが生じることはない。
ボルト７２を、昇降部材７として用いる上記実施例では、走行用レール３の傾斜量を微調整することが可能である。走行用レール３の傾斜量を、当初の設定量以上に変更し、隙間Ｗからの明かり漏れが生じる場合には、従来例と同様に覆い片Ｃを設置して明かり漏れを防ぐようにしてもよい。
【００２２】
上記実施例では、走行用レール３の昇降部材７として、ボルト７２を使用するようにしたが、図４に示すように、ワイヤロープ７５及びてこ７６を利用したものでもよい。
ワイヤロープ７５の場合、不使用時には、上枠４１内に巻き込んでおくことが好ましい。
さらに、上記実施例では、壁の内側を戸袋とする壁収納型引戸装置としたが、本発明の引戸装置は、引戸４が、居室入口の外側にあって、壁に沿わせて引戸４を設置する（戸袋を有さない）ものであっても実施することができるものである。
【００２３】
以上、本発明の引戸装置について、その実施例に基づいて説明したが、本発明は、上記実施例に記載した構成に限定されるものではなく、その趣旨を逸脱しない範囲において適宜その構成を変更することができるものである。
【産業上の利用可能性】
【００２４】
本発明の引戸装置は、昇降部材によって走行用レールを上下に移動させ戸車と引戸の連結部分を、引戸枠部材の上枠内に隠すことができるという特性を有していることから、老健施設や病院の引戸装置として用いることができるほか、例えば、一般住宅やマンション等意匠面を重視する引戸装置に適用する用途にも用いることができる。
【図面の簡単な説明】
【００２５】
【図１】本発明の引戸装置の一実施例を示す一部切り欠きの側面図で、（ａ）は昇降部材による調節前の状態を、（ｂ）は昇降部材による調節後の状態を示す。
【図２】本発明の引戸装置の実施例を示す一部切り欠きの正面図で、（ａ）は図１（ａ）のＸ−Ｘ断面を、（ｂ）は、図１（ｂ）のＹ−Ｙ断面を、（ｃ）は、（ａ）のＺ−Ｚ断面を示す。
【図３】本発明の引戸装置の施工要領の説明図で、（ａ）は、一部断面の正面図、（ｂ）は、（ａ）のＶ−Ｖ断面図を示す。
【図４】本発明の引戸装置の施工要領の別の説明図で、（ａ）は、一部断面の正面図、（ｂ）は、（ａ）のＷ−Ｗ断面図を示す。
【図５】従来の引戸装置の部分断面図である。
【符号の説明】
【００２６】
１    引戸装置
２    引戸
３    走行用レール
４    引戸枠部材
５    戸車
６    戸袋
７    昇降部材
８    係止部材
３０  固定機構
【図１】
2006283334.tif 000003
【図２】
2006283334.tif 000004
【図３】
2006283334.tif 000005
【図４】
2006283334.tif 000006
【図５】
2006283334.tif 000007